(57)【要約】【課題】間隔をあけて配置された複数の電子機器のコネクタ部にコネクタを容易に嵌合させることができるコネクタモジュールを提供する。【解決手段】コネクタモジュール１は互いに間隔をあけてボディパネル２に配置される複数のソレノイド３に設けられたコネクタ部４と各々がコネクタ部４に嵌合するとともに互いに間隔をあけて複数並べられたコネクタ５とボディパネル２に重ねられるガイドフレーム９とガイドフレーム９にコネクタ５とコネクタ部４との嵌合方向Ｋに沿って移動自在に設けられたガイド支持フレーム１０とガイド支持フレーム１０にコネクタ５を嵌合方向Ｋに対して交差する二方向Ｎ，Ｚと嵌合方向Ｋを中心とした回転方向Ｔに移動自在に支持する移動支持部１１とを備えている。【選択図】図１
2010267488.tif 000002
【特許請求の範囲】
【請求項１】
互いに間隔をあけて車体に配置される複数の電子機器に設けられたコネクタ部と、
各々が前記コネクタ部に嵌合するとともに互いに間隔をあけて複数並べられたコネクタと、
前記車体に重ねられるガイドフレームと、
前記ガイドフレームに前記コネクタと前記コネクタ部との嵌合方向に沿って移動自在に設けられたガイド支持フレームと、
前記ガイド支持フレームに前記コネクタを前記嵌合方向に対して交差する二方向と前記嵌合方向を中心とした回転方向に移動自在に支持する移動支持部と、
を備えたことを特徴とするコネクタモジュール。
【請求項２】
前記ガイドフレームは、前記コネクタが前記コネクタ部から最も離れた位置で、コネクタが当該コネクタ同士に並ぶ方向に位置ずれすることを規制する位置ずれ規制部を備えたことを特徴とする請求項１記載のコネクタモジュール。
【請求項３】
前記ガイドフレームを前記車体に位置決めする位置決め部を備えたことを特徴とする請求項１又は請求項２記載のコネクタモジュール。
【請求項４】
前記コネクタが前記コネクタ部に近づくのにしたがって、これらが互いに嵌合する位置に前記コネクタを案内する案内部を備えたことを特徴とする請求項１乃至請求項３のうちいずれか一項に記載のコネクタモジュール。
【請求項５】
前記案内部が、
前記コネクタから立設しかつ前記嵌合方向に沿って直線状に延在したガイドリブと、
前記コネクタ部よりも前記コネクタ寄りに設けられかつ前記ガイドリブが侵入するとともに前記コネクタ部に近づくのにしたがって幅が狭く形成されたガイド溝と、を備えたことを特徴とする請求項４記載のコネクタモジュール。
【請求項６】
前記案内部が、
前記コネクタに連なりかつ前記電子機器と前記嵌合方向に間隔をあけて相対した被支持部に向って前記電子機器から直線状に延在したガイドリブと、
前記被支持部に設けられかつ前記ガイドリブが侵入するとともに前記ソレノイドから離れるのにしたがって徐々に断面形状が縮小するように形成されたガイド凹部と、を備えたことを特徴とする請求項４記載のコネクタモジュール。
【請求項７】
前記移動支持部は、
前記ガイド支持フレームに設けられた貫通孔と、
前記コネクタから立設しかつ前記ガイドフレームに設けられた貫通孔内に通されるととともに、幅が前記貫通孔の幅よりも狭く長さが前記ガイドフレームの厚みよりも長い立設部と、
前記立設部の先端に連なり前記嵌合方向の長さが前記貫通孔の前記嵌合方向の幅よりも長いストッパ部と、
を備えたことを特徴とする請求項１乃至請求項６のうちいずれか一項に記載のコネクタモジュール。
【請求項８】
前記移動支持部は、
前記コネクタに連なりかつ電子機器と前記嵌合方向に間隔をあけて相対した被支持部から前記電子機器から離れる方向に凸の移動凸部と、
前記移動凸部を内側に遊挿して当該移動凸部に係合する係合片と、
を備えたことを特徴とする請求項１乃至請求項６のうちいずれか一項に記載のコネクタモジュール。
【発明の詳細な説明】
【技術分野】
【０００１】
本発明は、車体に間隔をあけて複数設けられたコネクタ部に嵌合するコネクタを複数備えたコネクタモジュールに関する。
【背景技術】
【０００２】
自動車のトランスミッションには、当該自動車の車体に互いに間隔をあけて配置された複数の電磁弁の電子機器としてのソレノイドが設けられている。これらのソレノイドは、一つのトランスミッション即ち一台の自動車に複数設けられ、勿論、各ソレノイドには、前述した自動車の車体に配索されるワイヤハーネスのコネクタが嵌合するコネクタ部が設けられている。
【発明の概要】
【発明が解決しようとする課題】
【０００３】
前述した複数のソレノイドは、自動車の車体に間隔をあけて複数設けられているために、各コネクタ部に前述したコネクタを嵌合するための作業が煩雑となっていた。さらに、前述したトランスミッションの近傍の空間は狭く、前述したコネクタ部にコネクタを嵌合させることが困難となる傾向であった。
【０００４】
したがって、本発明の目的は、間隔をあけて配置された複数の電子機器のコネクタ部にコネクタを容易に嵌合させることができるコネクタモジュールを提供することにある。
【課題を解決するための手段】
【０００５】
上記課題を解決するためになされた請求項１記載の本発明のコネクタモジュールは、互いに間隔をあけて車体に配置される複数の電子機器に設けられたコネクタ部と、各々が前記コネクタ部に嵌合するとともに互いに間隔をあけて複数並べられたコネクタと、前記車体に重ねられるガイドフレームと、前記ガイドフレームに前記コネクタと前記コネクタ部との嵌合方向に沿って移動自在に設けられたガイド支持フレームと、前記ガイド支持フレームに前記コネクタを前記嵌合方向に対して交差する二方向と前記嵌合方向を中心とした回転方向に移動自在に支持する移動支持部と、を備えたことを特徴としている。
【０００６】
請求項２記載の本発明のコネクタモジュールは、請求項１に記載の本発明のコネクタモジュールにおいて、前記ガイドフレームは、前記コネクタが前記コネクタ部から最も離れた位置で、コネクタが当該コネクタ同士に並ぶ方向に位置ずれすることを規制する位置ずれ規制部を備えたことを特徴としている。
【０００７】
請求項３記載の本発明のコネクタモジュールは、請求項１又は請求項２に記載の本発明のコネクタモジュールにおいて、前記ガイドフレームを前記車体に位置決めする位置決め部を備えたことを特徴としている。
【０００８】
請求項４記載の本発明のコネクタモジュールは、請求項１ないし請求項３のうちいずれか一項に記載のコネクタモジュールにおいて、前記コネクタが前記コネクタ部に近づくのにしたがって、これらが互いに嵌合する位置に前記コネクタを案内する案内部を備えたことを特徴としている。
【０００９】
請求項５記載の本発明のコネクタモジュールは、請求項４に記載のコネクタモジュールにおいて、前記案内部が、前記コネクタから立設しかつ前記嵌合方向に沿って直線状に延在したガイドリブと、前記コネクタ部よりも前記コネクタ寄りに設けられかつ前記ガイドリブが侵入するとともに前記コネクタ部に近づくのにしたがって幅が狭く形成されたガイド溝と、を備えたことを特徴としている。
【００１０】
請求項６記載の本発明のコネクタモジュールは、請求項４に記載のコネクタモジュールにおいて、前記案内部が、前記コネクタに連なりかつ前記電子機器と前記嵌合方向に間隔をあけて相対した被支持部に向って前記電子機器から直線状に延在したガイドリブと、前記被支持部に設けられかつ前記ガイドリブが侵入するとともに前記ソレノイドから離れるのにしたがって徐々に断面形状が縮小するように形成されたガイド凹部と、を備えたことを特徴としている。
【００１１】
請求項７記載の本発明のコネクタモジュールは、請求項１ないし請求項６のうちいずれか一項に記載のコネクタモジュールにおいて、前記移動支持部は、前記ガイド支持フレームに設けられた貫通孔と、前記コネクタから立設しかつ前記ガイドフレームに設けられた貫通孔内に通されるととともに、幅が前記貫通孔の幅よりも狭く長さが前記ガイドフレームの厚みよりも長い立設部と、前記立設部の先端に連なり前記嵌合方向の長さが前記貫通孔の前記嵌合方向の幅よりも長いストッパ部と、を備えたことを特徴としている。
【００１２】
請求項８記載の本発明のコネクタモジュールは、請求項１ないし請求項６のうちいずれか一項に記載のコネクタモジュールにおいて、前記移動支持部は、前記コネクタに連なりかつ電子機器と前記嵌合方向に間隔をあけて相対した被支持部から前記電子機器から離れる方向に凸の移動凸部と、前記移動凸部を内側に遊挿して当該移動凸部に係合する係合片と、を備えたことを特徴としている。
【発明の効果】
【００１３】
請求項１記載の本発明によれば、車体に重ねられるガイドフレームに嵌合方向に沿って移動自在に設けられたガイド支持フレームに、電子機器のコネクタ部に嵌合するコネクタを嵌合方向に対して交差する二方向と嵌合方向を中心とした回転方向に移動自在に支持している。このために、ガイド支持フレームを、コネクタをコネクタ部への嵌合方向に移動させると、コネクタがコネクタ部に嵌合するように、コネクタがガイド支持フレームに対して移動することとなる。したがって、ガイド支持フレームを、コネクタをコネクタ部への嵌合方向に移動させるだけで、複数のコネクタを一度にコネクタ部に嵌合させることができる。したがって、各コネクタ部に前述したコネクタを嵌合するための作業が煩雑となることを防止でき、前述したコネクタ部にコネクタを嵌合させることが困難となることを防止できて、よって、コネクタ部にコネクタを容易に嵌合させることができる。
【００１４】
請求項２記載の本発明によれば、コネクタがコネクタ部から最も離れた位置に位置付けられると、ガイドフレームがコネクタの位置ずれを規制する位置ずれ規制部を備えている。このため、コネクタをコネクタ部に嵌合させる作業の前に、当該コネクタが不意に位置ずれすることを防止できる。よって、コネクタの嵌合前に、当該コネクタがコネクタ部に嵌合できない程、位置ずれすることを防止でき、コネクタ部にコネクタを確実に嵌合させることができる。
【００１５】
請求項３記載の本発明によれば、ガイドフレームを車体に位置決めする位置決め部を備えているので、コネクタをコネクタ部に嵌合させる作業中にコネクタモジュールが位置ずれすることを防止できる。よって、コネクタ部にコネクタを確実に嵌合させることができる。
【００１６】
請求項４記載の本発明によれば、コネクタがコネクタ部に嵌合する位置に案内する案内部を備えているので、ガイド支持フレームにより複数のコネクタをコネクタ部に近づけるだけで、複数のコネクタを一度にコネクタ部に嵌合させることができる。
【００１７】
請求項５記載の本発明によれば、案内部がガイドリブとガイド溝とを備えているので、コネクタがコネクタ部に嵌合する位置に当該コネクタを確実に案内することができる。
【００１８】
請求項６記載の本発明によれば、案内部がガイドリブとガイド凹部とを備えているので、コネクタがコネクタ部に嵌合する位置に当該コネクタを確実に案内することができる。また、ガイドリブが電子機器のコネクタに相対する端面の中央に設けられているのが望ましい。この場合、電子機器が嵌合方向を中心とした回転方向に位置ずれしていても、コネクタをコネクタ部に近づけることにより、案内部が、これらが互いに嵌合する位置にコネクタを案内することができる。
【００１９】
請求項７記載の本発明によれば、移動支持部がガイド支持フレームの厚みよりも長く当該ガイド支持フレームに設けられた貫通孔の幅よりも幅が狭く形成されて、当該貫通孔内に通されるコネクタから立設した立設部を備えているので、移動支持部がコネクタを嵌合方向に対して交差するニ方向と、当該嵌合方向を中心とした回転方向に移動自在に支持することができる。このため、コネクタをコネクタ部即ち電子機器の位置に応じて、コネクタ部に嵌合できる位置に位置付けることができる。よって、ガイド支持フレームをコネクタをコネクタ部への嵌合方向に移動させるだけで、複数のコネクタを一度にコネクタ部に嵌合させることができる。
【００２０】
請求項８記載の本発明によれば、移動支持部がコネクタに連なった被支持部から凸の移動凸部とこの移動凸部を遊挿する係合片とを備えているので、移動凸部と係合片とのがたにより被支持部即ちコネクタを嵌合方向に対して交差するニ方向と嵌合方向を中心とした回転方向に移動自在とすることができる。このため、コネクタをコネクタ部即ち電子機器の位置に応じて、コネクタ部に嵌合できる位置に位置付けることができる。よって、ガイド支持フレームを、コネクタのコネクタ部への嵌合方向に移動させるだけで、複数のコネクタを一度にコネクタ部に嵌合させることができる。
【図面の簡単な説明】
【００２１】
【図１】本発明の第１の実施形態にかかるコネクタモジュールなどの分解斜視図である。
【図２】図１に示されたコネクタモジュールの斜視図である。
【図３】図２に示されたコネクタモジュールのコネクタなどの斜視図である。
【図４】図３に示されたコネクタの正面図である。
【図５】図３中のＶ−Ｖ線に沿う断面図である。
【図６】図３に示されたコネクタが嵌合するソレノイドに設けられたコネクタ部などの斜視図である。
【図７】図６中のＶＩＩ−ＶＩＩ線に沿う断面図である。
【図８】図７中のＶＩＩＩ−ＶＩＩＩ線に沿う断面図である。
【図９】図８に示されたコネクタ部のガイド溝の幅広部内に図５に示されたコネクタのガイドリブが侵入した状態を示す断面図である。
【図１０】図９に示されたコネクタ部のガイド溝の幅狭部内に図５に示されたコネクタのガイドリブが侵入した状態を示す断面図である。
【図１１】図１０に示されたコネクタ部のガイド溝の幅狭部の奥に図５に示されたコネクタのガイドリブが侵入した状態を示す断面図である。
【図１２】図１に示されたコネクタモジュールが位置決め部に位置決めされた状態の要部の平面図である。
【図１３】図１２中の矢印ＸＩＩＩ方向からみた正面図である。
【図１４】図１２に示されたコネクタモジュールのコネクタがコネクタ部に近づいた状態の要部の平面図である。
【図１５】図１４中の矢印ＸＶ方向からみた正面図である。
【図１６】図１４に示されたコネクタモジュールのコネクタがコネクタ部に嵌合した状態の要部の平面図である。
【図１７】図１６中の矢印ＸＶＩＩ方向からみた正面図である。
【図１８】本発明の第２の実施形態にかかるコネクタモジュールの位置決め部に位置決めされた状態を示す斜視図である。
【図１９】図１８に示されたコネクタモジュールの他の斜視図である。
【図２０】図１８に示されたコネクタモジュールのコネクタがコネクタ部に嵌合した状態を示す斜視図である。
【図２１】図２０に示されたコネクタモジュールの他の斜視図である。
【図２２】本発明の第３の実施形態にかかるコネクタモジュールの要部の斜視図である。
【図２３】図２２中の矢印ＸＸＩＩＩ方向からみた正面図である。
【図２４】図２２に示されたコネクタモジュールのコネクタが嵌合するコネクタ部を備えたソレノイドの斜視図である。
【図２５】図２４中のＸＸＶ−ＸＸＶ線に沿って一部を断面で示す断面図である。
【図２６】図２２に示されたコネクタモジュールのコネクタなどの斜視図である。
【図２７】図２６中のＸＸＶＩＩ−ＸＸＶＩＩ線に沿う断面図である。
【図２８】図２７中のＸＸＶＩＩＩ−ＸＸＶＩＩＩ線に沿う断面図である。
【図２９】図２６に示されたコネクタのガイド凹部の縮小部内に図２４に示されたガイドリブの先端が侵入した状態の断面図である。
【図３０】図２９中のＸＸＸ−ＸＸＸ線に沿う断面図である。
【図３１】図２９中のＸＸＸＩ−ＸＸＸＩ線に沿う断面図である。
【図３２】図２６に示されたコネクタのガイド凹部の縮小部と図２４に示されたガイドリブの先端とが相対した状態の断面図である。
【図３３】図２６に示されたコネクタのガイド凹部の一定部内に図２４に示されたガイドリブの先端が侵入した状態の断面図である。
【図３４】図２６に示されたコネクタのガイド凹部の一定部の奥に図２４に示されたガイドリブの先端が侵入した状態の断面図である。
【図３５】図２２に示されたコネクタモジュールの要部の正面図である。
【図３６】図３５に示されたコネクタモジュールの他の要部の断面図である。
【発明を実施するための形態】
【００２２】
以下、本発明の第１の実施形態にかかるコネクタモジュールを、図１ないし図１７を参照して説明する。
【００２３】
本発明の第１の実施形態にかかるコネクタモジュール１は、図１及び図２に示すように、自動車の車体としてのボディパネル２に取り付けられる電子機器としての複数のソレノイド３のコネクタ部４に嵌合するコネクタ５を複数備えている。
【００２４】
複数のソレノイド３は、図１及び図２に示すように、前述したボディパネル２に互いに間隔をあけて配置されるとともに、前述した自動車のトランスミッションの電磁弁を駆動するために用いられる。ソレノイド３は、外観が円柱状に形成され、互いに平行に間隔をあけて配置されている。ソレノイド３には、電磁弁と接続するケーブル６が接続している。
【００２５】
コネクタモジュール１は、図１及び図２に示すように、一対の位置決め部７と、複数のコネクタ部４と、複数のコネクタ５と、案内部８と、ガイドフレーム９と、ガイド支持フレーム１０と、移動支持部１１と、を備えている。
【００２６】
位置決め部７は、図示例では、自動車のボディパネル２に一対設けられ、互いの間に前述した複数のソレノイド３を位置付けている。位置決め部７は、ボディパネル２に重ねられるガイドフレーム９を当該ボディパネル２に位置決めする。
【００２７】
コネクタ部４は、それぞれ、ソレノイド３の外周面に設けられている。コネクタ部４は、筒状のハウジング１２と、このハウジング１２内に収容された棒状の端子１３とを備えている。ハウジング１２は、絶縁性の合成樹脂で構成され、かつその開口が位置決め部７に位置決めされたガイドフレーム９と相対するように、ソレノイド３と同軸に配置されている。端子１３は、導電性の金属で構成され、その長手方向がハウジング１２の軸芯と平行に配置されている。端子１３は、前述したケーブル６などに接続している。
【００２８】
コネクタ５は、コネクタ部４と同数設けられている。コネクタ５は、コネクタ部４と１対１で対応している。コネクタ５は、それぞれ、図３乃至図５に示すように、絶縁性の合成樹脂で構成されたハウジング１４と、このハウジング１４内に収容された図示しない端子とを備えている。ハウジング１４は、四角筒状に形成され、かつ、ハウジング１２内に侵入して当該ハウジング１２に嵌合する。端子は、ハウジング１４内に収容されている。端子には、電線が取り付けられ、ハウジング１２，１４同士が嵌合すると、前述した端子１３と接続する。コネクタ５は、図１中の矢印Ｋに沿ってハウジング１４がハウジング１２内に侵入することで、コネクタ部４に嵌合する。なお、矢印Ｋは、特許請求の範囲などに記載された嵌合方向をなしているために、以下、嵌合方向Ｋと呼ぶ。この嵌合方向Ｋは、コネクタ５がコネクタ部４に嵌合する際に、当該コネクタ５がコネクタ部４に近づく方向をなしている。
【００２９】
案内部８は、コネクタ５と同数設けられかつコネクタ５と１対１で対応している。案内部８は、コネクタ５に設けられたガイドリブ１５（図３乃至図５に示す）と、コネクタ部４に連なったガイドレール部１６（図６乃至図８に示す）とを備えている。ガイドリブ１５は、コネクタ５のハウジング１４のソレノイド３の外周面と相対する底面から凸に設けられている。ガイドリブ１５は、嵌合方向Ｋに沿って直線状に延在し、かつ、前述した嵌合方向Ｋの全長に亘ってコネクタ５のハウジング１４の底面に設けられている。ガイドリブ１５は、その全長に亘って幅及びハウジング１４の底面からの突出量が一定に形成されている。
【００３０】
ガイドレール部１６は、底板部１７と、一対のレール部１８とを備えている。底板部１７は、ソレノイド３の外周面から凸でかつコネクタ部４のハウジング１２に連なっている。底板部１７即ちガイドレール部１６は、コネクタ部４に連なりかつ当該コネクタ部４よりもガイド支持フレーム１０に支持されたコネクタ５寄りに設けられている。
【００３１】
一対のレール部１８は、嵌合方向Ｋに対して交差（直交）し、かつ図１中矢印Ｎで示すソレノイド３即ちコネクタ５同士が並ぶ方向に互いに間隔をあけて配置されている。一対のレール部１８は、前述した底板部１７の互いに離れた側の外縁から立設している。レール部１８が、底板部１７の互いに離れた側の外縁から立設しているために、当該レール部１８の内側に底板部１７の上面が位置付けられている（露出している）。なお、底板部１７の上面は、平坦に形成されている。また、一対のレール部１８は、コネクタ部４のハウジング１２に連なりかつ当該ハウジング１２から離れるのにしたがって互いに徐々に離れる方向に傾斜した傾斜部１９と、当該傾斜部１９に連なりかつ互いに平行な平行部２０を設けている。
【００３２】
また、案内部８は、底板部１７に前述した嵌合方向Ｋに沿って直線状に延在したガイド溝２１を設けている。このガイド溝２１は、図８乃至図１１に示すように、底板部１７に設けられかつ幅がガイドリブ１５の幅と略等しい幅でかつ嵌合方向Ｋに一定に形成された幅狭部２２と、この幅狭部２２に連なりかつハウジング１２から離れるのにしたがって幅が徐々に広く形成された幅傾斜部２３と、この幅傾斜部２３に連なりかつ幅がガイドリブ１５の幅よりも広い幅でかつ嵌合方向Ｋに一定に形成された幅広部２４と、を設けている。コネクタ５がコネクタ部４に嵌合する際には、ガイド溝２１内にガイドリブ１５が侵入する。なお、ガイド溝２１の幅狭部２２内にガイドリブ１５が位置付けられると、コネクタ５がコネクタ部４に嵌合できる位置に位置付けられる。
【００３３】
案内部８は、ガイド溝２１内にガイドリブ１５が侵入して、ガイドリブ１５がガイド溝２１の内面上を摺動することにより、コネクタ５がコネクタ部４に近づくのにしたがってコネクタ５がコネクタ部４に嵌合できる位置に当該コネクタ５を案内する。
【００３４】
ガイドフレーム９は、図１及び図２に示すように、互いに平行な一対の長尺部材２５と、これら長尺部材２５の両端同士を連結しかつ互いに平行に配置されているとともに長尺部材２５よりも短い短尺部材２６と、短尺部材２６と平行でかつ互いに間隔をあけて配置されているとともに長尺部材２５同士を連結した連結梁２７とを備えた枠状に形成されている。短尺部材２６は、位置決め部７上に重ねられて、当該位置決め部７により位置決めされる。即ち、ガイドフレーム９は、短尺部材２６が位置決め部７に位置決めされることで、前述したボディパネル２に重ねられる。また、一対の短尺部材２６には、互いに相対する面から凹でかつ嵌合方向Ｋに沿って直線状に延在したスライド溝２８が設けられている。
【００３５】
さらに、一対の長尺部材２５のうちのコネクタ部４から離れた側の長尺部材２５には、位置ずれ規制部としての位置決め溝２９が複数設けられている。位置決め溝２９は、コネクタ５と同数設けられかつ当該コネクタ５と１対１で対応している。互いに隣り合う位置決め溝２９間の間隔は、互いに隣り合うコネクタ部４の中心軸間の間隔と略等しく形成されている。位置決め溝２９は、その内側に後述する移動支持部１１の立設部３５を通した際に、ガイドリブ１５をガイド溝２１内に位置付けることができる位置に配置されている。
【００３６】
位置決め溝２９は、長尺部材２５のコネクタ部４と相対する外縁部から凹に形成されかつ嵌合方向Ｋに沿って直線状に延在している。また、位置決め溝２９は内側に後述する移動支持部１１の立設部３５を通すことができる。位置決め溝２９の幅は、移動支持部１１の立設部３５の幅Ｈ１と等しく形成されている。位置決め溝２９は、その内側に立設部３５を通すことで、位置決め部７に短尺部材２６を位置決めした際に、ガイドリブ１５がガイド溝２１に侵入する位置にコネクタ５を位置決めして、これらのコネクタ５が、嵌合方向Ｋに対して交差（直交）する当該コネクタ５同士が並ぶ方向Ｎに位置ずれすることを規制する。
【００３７】
ガイド支持フレーム１０は、図１及び図２に示すように、長尺部材２５と長さが略等しいフレーム本体３０と、このフレーム本体３０から立設した固定片３１とを備えている。フレーム本体３０は、その両端部がスライド溝２８内に挿入されて、当該スライド溝２８内を移動自在となる。即ちガイド支持フレーム１０は、ガイドフレーム９に嵌合方向Ｋに沿って移動自在に設けられる。固定片３１には、ガイド支持フレーム１０をボディパネル２に固定するためのボルト３２を通すボルト通し孔３３が設けられている。ガイド支持フレーム１０は、移動支持部１１の後述する貫通孔３４内に立設部３５を通すことで、コネクタ５を支持する。また、ガイド支持フレーム１０は、貫通孔３４内に立設部３５を通した状態で、コネクタ部４から最も離れた位置に位置付けられると、位置決め溝２９内に侵入する。
【００３８】
移動支持部１１は、コネクタ５と同数設けられかつ当該コネクタ５と１対１で対応している。移動支持部１１は、貫通孔３４と、立設部３５と、ストッパ部３６とを備えている。貫通孔３４は、ガイド支持フレーム１０を貫通しており、その平面形状が矩形状に形成されている。移動支持部１１の貫通孔３４は、ガイド支持フレーム１０のフレーム本体３０の長手方向に沿って互いに間隔をあけて配置されている。互いに隣り合う移動支持部１１の貫通孔３４の中央間の間隔は、互いに隣り合うコネクタ部４の中心軸間の間隔と略等しく形成されている。また、貫通孔３４とフレーム本体３０のコネクタ部４に相対する外縁とに亘って、幅が後述する立設部３５の幅Ｈ１と略等しい切欠き３７が設けられている。
【００３９】
立設部３５は、コネクタ５のコネクタ部４から離れた側の端部から立設した四角柱状に形成されている。立設部３５は、前記フレーム本体３０の長手方向即ちコネクタ５同士が並ぶ方向の幅Ｈ１（図４に示す）が、貫通孔３４のフレーム本体３０の長手方向即ちコネクタ５同士が並ぶ方向Ｎの幅Ｈ２（図１２に示す）よりも狭く形成されている。また、立設部３５は、その長さがガイドフレーム９のフレーム本体３０の厚みよりも長く形成されている。
【００４０】
ストッパ部３６は、厚手の平板状に形成されており、立設部３５のコネクタ５から離れた側の先端部に連なっている。ストッパ部３６は、コネクタ５の立設部３５が設けられた表面から間隔をあけて平行に配置されている。ストッパ部３６は、前述した嵌合方向Ｋの長さＨ４（図１２に示す）が、貫通孔３４の嵌合方向Ｋの幅Ｈ３（図１２に示す）よりも長く形成されている。
【００４１】
前述した構成により移動支持部１１は、立設部３５が切欠き３７を通して貫通孔３４内に通され、かつストッパ部３６がコネクタ５との間にフレーム本体３０を位置付けることで、コネクタ５を、嵌合方向Ｋに交差（直交）するフレーム本体３０の長手方向即ちコネクタ５同士が並ぶ方向Ｎと、嵌合方向Ｋに交差（直交）するフレーム本体３０の厚み方向Ｚと、嵌合方向Ｋを中心とした回転方向Ｔ（図２中に矢印で示す）に移動自在にガイド支持フレーム１０のフレーム本体３０に支持する。なお、コネクタ５同士が並ぶ方向Ｎとフレーム本体３０の厚み方向Ｚは、嵌合方向Ｋに対して交差（直交）する二方向をなしている。
【００４２】
前述した構成によれば、コネクタモジュール１は、ガイド支持フレーム１０のフレーム本体３０の両端部をスライド溝２８内に挿入して、当該ガイド支持フレーム１０をガイドフレーム９に取り付け、各コネクタ５に設けられた立設部３５を切欠き３７を通して貫通孔３４内に挿入して組み立てられる。そして、コネクタモジュール１は、図２及び図１２に示すように、ガイド支持フレーム１０をコネクタ部４から最も離れた位置に位置付けて、各立設部３５を位置決め溝２９内に挿入して、コネクタ５をガイド支持フレーム１０に対して位置決めする。
【００４３】
そして、コネクタモジュール１をボディパネル２に重ねて、ガイドフレーム９を位置決め部７により位置決めして、コネクタモジュール１をボディパネル２に位置決めする。すると、図１２に示すように、ガイドリブ１５が、ガイド溝２１の幅狭部２２と嵌合方向Ｋに間隔をあけて相対するとともに、図１３に示すように、各コネクタ５のガイドリブ１５が、各案内部８の一対のレール部１８の平行部２０間に配置される。
【００４４】
その後、図１４に示すように、ガイド支持フレーム１０をコネクタ部４に向かって移動させると、各コネクタ５に設けられた立設部３５が一度に位置決め溝２９から抜け出る。すると、各コネクタ５が前述した二方向Ｎ，Ｚ及び回転方向Ｔに移動自在となる。そして、図１５に示すように、各コネクタ５の底面が底板部１７に密に重なる。さらに、ガイド支持フレーム１０をコネクタ部４に向かって移動させると、各コネクタ５に設けられたガイドリブ１５がガイド溝２１の幅傾斜部２３の内面上などを摺動して、各コネクタ５に設けられたガイドリブ１５が、一度に、図１０に示すように、ガイド溝２１の幅狭部２２内に侵入する。
【００４５】
そして、さらに、ガイド支持フレーム１０をコネクタ部４に向かって移動させると、図１５に示すように、各コネクタ５の底面が底板部１７に密に重なった状態で、ガイドリブ１５がガイド溝２１の幅狭部２２内を移動して、コネクタ５がコネクタ部４内に侵入する。そして、各コネクタ５に設けられたガイドリブ１５が、図１１に示すように、ガイド溝２１の幅狭部２２の奥に侵入し、各ストッパ部３６が、図１６に示すように、ガイドフレーム９のコネクタ部４寄りの長尺部材２５の近傍に位置付けられて、図１７に示すように、コネクタ５がコネクタ部４に嵌合する。その後、ガイド支持フレーム１０の固定片３１のボルト通し孔３３内にボルト３２を通して、当該ボルト３２によりガイド支持フレーム１０を車体に固定する。こうして、複数のコネクタ５が、一度に、対応するコネクタ部４に嵌合し、コネクタモジュール１がボディパネル２に取り付けられる。
【００４６】
本実施形態によれば、ボディパネル２に重ねられるガイドフレーム９に嵌合方向Ｋに沿って移動自在に設けられたガイド支持フレーム１０に、ソレノイド３のコネクタ部４に嵌合するコネクタ５を嵌合方向Ｋに対して交差する二方向Ｎ，Ｚと回転方向Ｔに移動自在に支持している。このために、ガイド支持フレーム１０を、コネクタ５のコネクタ部４への嵌合方向Ｋに移動させると、コネクタ５がコネクタ部４に嵌合するように、コネクタ５がガイド支持フレーム１０に対して移動することとなる。したがって、ガイド支持フレーム１０を、コネクタ５のコネクタ部４への嵌合方向Ｋに移動させるだけで、複数のコネクタ５を一度にコネクタ部４に嵌合させることができる。したがって、各コネクタ部４に前述したコネクタ５を嵌合するための作業が煩雑となることを防止でき、前述したコネクタ部４にコネクタ５を嵌合させることが困難となることを防止できて、よって、コネクタ部４にコネクタ５を容易に嵌合させることができる。
【００４７】
コネクタ５がコネクタ部４から最も離れた位置に位置付けられると、ガイドフレーム９がコネクタ５の位置ずれを規制する位置決め溝２９を備えている。このため、コネクタ５をコネクタ部４に嵌合させる作業の前に、当該コネクタ５が不意に位置ずれすることを防止できる。よって、コネクタ５の嵌合前に、当該コネクタ５がコネクタ部４に嵌合できない程、位置ずれすることを防止できるので、コネクタ５をコネクタ部４に嵌合させる際に、当該コネクタ５をコネクタ部４に確実に嵌合させることができる。
【００４８】
ガイドフレーム９をボディパネル２に位置決めする位置決め部７を備えているので、コネクタ５をコネクタ部４に嵌合させる作業中にコネクタモジュール１が位置ずれすることを防止できる。よって、コネクタ部４にコネクタ５を確実に嵌合させることができる。
【００４９】
コネクタ５がコネクタ部４に嵌合する位置に案内する案内部８を備えているので、ガイド支持フレーム１０により複数のコネクタ５をコネクタ部４に近づけるだけで、複数のコネクタ５を一度にコネクタ部４に嵌合させることができる。
【００５０】
案内部８は、ガイドリブ１５とガイド溝２１とを備えているので、コネクタ５がコネクタ部４に嵌合する位置に当該コネクタ５を確実に案内することができる。
【００５１】
移動支持部１１が、ガイド支持フレーム１０のフレーム本体３０の厚みよりも長く当該ガイド支持フレーム１０に設けられた貫通孔３４の幅Ｈ２よりも幅Ｈ１が狭く形成されて、当該貫通孔３４内に通されるコネクタ５から立設した立設部３５を備えているので、移動支持部１１がコネクタ５を嵌合方向Ｋに対して交差するニ方向Ｎ，Ｚと、当該嵌合方向Ｋを中心とした回転方向Ｔに移動自在に支持することができる。このため、コネクタ５をコネクタ部４即ちソレノイド３の位置に応じて、コネクタ部４に嵌合できる位置に位置付けることができる。よって、ガイド支持フレーム１０をコネクタ５のコネクタ部４への嵌合方向Ｋに移動させるだけで、複数のコネクタ５を一度にコネクタ部４に嵌合させることができる。
【００５２】
次に、本発明の第２の実施形態にかかるコネクタモジュール１を、図１８乃至図２１を参照して説明する。なお、前述した第１の実施形態と同一部分には、同一符号を付して説明を省略する。また、図１８乃至図２１では、ソレノイド３、コネクタ５及びコネクタ部４を各１つのみ図示し、他を省略している。
【００５３】
本実施形態では、コネクタモジュール１は、図１８乃至図２１に示すように、ガイドフレーム９に回転中心ピン３８を設け、ガイド支持フレーム１０にカムピン３９を設け、カムレバー４０を更に備えている。回転中心ピン３８は、ガイドフレーム９の長手方向の両端から当該ガイドフレーム９の長手方向即ち前述したコネクタ５同士が並ぶ方向Ｎに沿って外方向に突出している。回転中心ピン３８は、円柱状に形成され、その軸芯が前述したコネクタ５同士が並ぶ方向Ｎと平行である。
【００５４】
カムピン３９は、ガイド支持フレーム１０の長手方向の両端から当該ガイド支持フレーム１０の長手方向即ち前述したコネクタ５同士が並ぶ方向Ｎに沿って外方向に突出している。カムピン３９は、円柱状に形成され、その軸芯が前述したコネクタ５同士が並ぶ方向Ｎと平行である。
【００５５】
カムレバー４０は、一対のカム部材４１と、一つの連結部４２とを一体に備えている。カム部材４１は、厚手の平板状に形成されかつガイドフレーム９の長手方向の両端部に重ねられて、互いに間隔をあけて平行に配置されている。カム部材４１は、その一端部に回転中心ピン３８を通す丸孔４３を設け、他端部にカムピン３９を通すカム４４を設けている。丸孔４３は、内側に回転中心ピン３８を通して、当該回転中心ピン３８を中心として、カム部材４１即ちカムレバー４０を回転自在にガイドフレーム９に取り付けている。カム４４は、弧状に形成されており、他端部から一端部に向うにしたがって徐々に丸孔４３に近づく方向に湾曲している。連結部４２は、一対のカム部材４１の他端部同士を連結した帯板状に形成されている。
【００５６】
本実施形態のコネクタモジュール１は、ガイド支持フレーム１０がコネクタ部４から最も離れた状態即ちコネクタ５がコネクタ部４に嵌合する前には、図１８及び図１９に示すように、カムレバー４０がカム４４の丸孔４３寄りの端部にカムピン３９を位置付けている。そして、カムレバー４０がガイドフレーム９から立設した格好となっている。そして、コネクタモジュール１は、位置決め部７にガイドフレーム９が位置決めされて、コネクタ５をコネクタ部４に嵌合させる際に、カムレバー４０のカム部材４１の他端部即ち連結部４２がソレノイド３に近づくように、回転中心ピン３８を中心としてカムレバー４０が回転される。
【００５７】
すると、カム４４が前述したように湾曲しているので、カムレバー４０が回転するのにしたがって、カムピン３９がカム４４の丸孔４３から離れた側の端部に向って移動する。すると、コネクタ５がコネクタ部４に徐々に近づいて、当該コネクタ部４に嵌合する。コネクタ５がコネクタ部４に完全に嵌合すると、図２０及び図２１に示すように、カムレバー４０の連結部４２がガイドフレーム９上に重なり、カム４４の丸孔４３から離れた側の端部にカムピン３９を位置付ける。
【００５８】
本実施形態の場合においても、前述した実施形態と同様に、一度に、複数のコネクタ５をコネクタ部４に嵌合できるので、コネクタ部４にコネクタ５を容易に嵌合させることができる。また、本実施形態では、カムレバー４０を回転させるだけで、複数のコネクタ５を一度にコネクタ部４に嵌合できるので、コネクタ部４にコネクタ５をより容易に嵌合させることができる。
【００５９】
次に、本発明の第３の実施形態にかかるコネクタモジュール１を、図２２乃至図３６を参照して説明する。なお、前述した第１及び第２の実施形態と同一部分には、同一符号を付して説明を省略する。
【００６０】
本実施形態では、移動支持部１１が、図２２及び図２３に示すように、コネクタ５に連なった被支持部６０から凸の移動凸部５０と、ガイド支持フレーム１０に設けられた切欠き部５１と、このガイド支持フレーム１０に設けられたスリット５２と、ガイド支持フレーム１０に設けられた係合片５３と、を備えている。
【００６１】
被支持部６０は、図２６乃至図２８に示すように、コネクタ５のコネクタ部４から離れた側の端部に連なっている。被支持部６０は、嵌合方向Ｋに沿って、ソレノイド３と間隔をあけて相対する。被支持部６０は、断面台形状の本体部５４と、この本体部５４のコネクタ部４から離れた側の端に連なった円盤部５５とを一体に備えている。
【００６２】
移動凸部５０は、円盤部５５の表面から凸の円形に形成されている。移動凸部５０は、円盤部５５からソレノイド３から離れる方向に凸に形成されている。
【００６３】
切欠き部５１は、嵌合方向Ｋに沿って、ガイドフレーム９のフレーム本体３０の一部が切り欠かれて形成されている。互いに隣り合う移動支持部１１の切欠き部５１は、ガイド支持フレーム１０のフレーム本体３０の長手方向即ちコネクタ５同士が並ぶ方向Ｎに沿って互いに間隔をあけて配置されている。互いに隣り合う切欠き部５１の中心間の間隔は、互いに隣り合うソレノイド３の中心間の間隔と略等しく形成されている。切欠き部５１は、その内側に被支持部６０の本体部５４を通している。切欠き部５１は、図３６に示すように、その内縁の形状が本体部５４の外縁の形状と略等しく形成されている。
【００６４】
スリット５２は、ガイド支持フレーム１０のフレーム本体３０の長手方向に沿って互いに間隔をあけて複数設けられかつガイド支持フレーム１０のフレーム本体３０の幅方向の中央に設けられている。スリット５２は、の内側に被支持部６０の円盤部５５を位置付ける。
【００６５】
係合片５３は、切欠き部５１内に設けられかつガイドフレーム９のフレーム本体３０と一体に形成されている。係合片５３は、図３５に示すように、切欠き部５１の底面から立設しており、両端が切欠き部５１の内面に連なったコ字状に形成されている。係合片５３は、図３５に示すように、その内側に移動凸部５０を位置付けて（遊挿して）、当該移動凸部５０に係合する。
【００６６】
移動支持部１１は、係合片５３に移動凸部５０が係合した状態で、図３５に示すように、移動凸部５０が最も切欠き部５１の底面から離されて係合片５３の内面に接触すると、図３６に示すように、被支持部６０の外面が切欠き部５１の内面と間隔をあける。このために、移動支持部１１は、スリット５２内に円盤部５５を挿入しかつ切欠き部５１内に被支持部６０を位置付けて移動凸部５０を係合片５３内に遊挿することで、ガイド支持フレーム１０に被支持部６０即ちコネクタ５を前述した二方向Ｎ，Ｚと回転方向Ｔに移動自在に支持している。
【００６７】
また、本実施形態の案内部８は、ガイドリブ５６と、ガイド凹部５７とを備えている。ガイドリブ１５は、図２４及び図２５に示すように、ソレノイド３の端面から被支持部６０に向かって直線状に延在しており、当該ソレノイド３の端面の中央に設けられている。ガイド凹部５７は、図２６乃至図２８に示すように、被支持部６０のソレノイド３と相対する端面から凹に形成されており、互いに連通した縮小部５８と一定部５９とを備えている。縮小部５８は、被支持部６０の前述した端面から凹に形成されており、この端面から離れる即ちソレノイド３から離れるのにしたがって徐々に断面形状が縮小するように形成されている。一定部５９は、その断面形状がガイドリブ１５の断面形状と略等しく形成されている。
【００６８】
前述した構成の案内部８は、コネクタ５がコネクタ部４に近づく際に、ガイド凹部５７内にガイドリブ１５が侵入して、ガイドリブ１５がガイド凹部５７の縮小部５８の内面上を摺動することにより、コネクタ５がコネクタ部４に近づくのにしたがってコネクタ５がコネクタ部４に嵌合できる位置に当該コネクタ５を案内する。
【００６９】
前述した構成によれば、本実施形態のコネクタモジュール１は、ガイド支持フレーム１０をコネクタ部４から最も離れた位置に位置付けて、ガイドフレーム９が位置決め部７により位置決めされて、ボディパネル２に位置決めされる。すると、図３２に示すように、ガイドリブ１５がガイド凹部５７と嵌合方向Ｋに沿って間隔をあけて相対するとともに、各コネクタ５がコネクタ部４と嵌合方向Ｋに沿って間隔をあけて相対する。
【００７０】
そして、ガイド支持フレーム１０をコネクタ部４に向かって移動させると、図２９乃至図３１に示すように、各コネクタ５に設けられた被支持部６０に開口したガイド凹部５７の縮小部５８内にガイドリブ１５が侵入する。さらに、ガイド支持フレーム１０をコネクタ部４に向かって移動させると、各ソレノイド３に設けられたガイドリブ１５の先端がガイド凹部５７の縮小部５８の内面を摺動した後、図３３に示すように、一定部５９内に侵入する。そして、さらに、ガイド支持フレーム１０をコネクタ部４に向かって移動させると、コネクタ５がコネクタ部４内に侵入する。そして、各ソレノイド３に設けられたガイドリブ１５が、図３４に示すように、ガイド凹部５７の一定部５９の奥に侵入し、コネクタ５がコネクタ部４に嵌合する。その後、ガイド支持フレーム１０の固定片３１のボルト通し孔３３内にボルト３２を通して、当該ボルト３２によりガイド支持フレーム１０を車体に固定する。こうして、複数のコネクタ５が、一度に、対応するコネクタ部４に嵌合し、コネクタモジュール１がボディパネル２に取り付けられる。
【００７１】
本実施形態によれば、前述した実施形態と同様に、一度に、複数のコネクタ５をコネクタ部４に嵌合できるので、コネクタ部４にコネクタ５を容易に嵌合させることができる。また、本実施形態によれば、案内部８がガイドリブ１５とガイド凹部５７とを備えているので、コネクタ５がコネクタ部４に嵌合する位置に当該コネクタ５を確実に案内することができる。また、ガイドリブ１５がソレノイド３のコネクタ５に相対する端面の中央に設けられている。このために、ソレノイド３が嵌合方向Ｋを中心とした回転方向Ｔに位置ずれしていても、コネクタ５をコネクタ部４に近づけることにより、案内部８が、これらが互いに嵌合する位置にコネクタ５を案内することができる。
【００７２】
さらに、本実施形態によれば、移動支持部１１がコネクタ５に連なった被支持部６０から凸の移動凸部５０とこの移動凸部５０を遊挿する係合片５３とを備えているので、移動凸部５０と係合片５３とのがたにより被支持部６０即ちコネクタ５を嵌合方向Ｋに対して交差（直交）するニ方向Ｎ，Ｚと嵌合方向Ｋを中心とした回転方向Ｔに移動自在とすることができる。このため、コネクタ５をコネクタ部４即ちソレノイド３の位置に応じて、コネクタ部４に嵌合できる位置に位置付けることができる。よって、ガイド支持フレーム１０を、コネクタ５のコネクタ部４への嵌合方向Ｋに移動させるだけで、複数のコネクタ５を一度にコネクタ部４に嵌合させることができる。
【００７３】
前述した実施形態では、電子機器としてのソレノイド３を示しているが、本発明では、ソレノイド３に限定されることなく種々の電子機器に設けられたコネクタ部４にコネクタ５を嵌合させてもよい。また、前述した実施形態では、車体としてのボディパネル２にガイドフレーム９を直接取り付ける構成としたが、本発明では、車体とはボディパネルなどの車体パネル以外にも当該車体パネルに取り付けられるトランスミッションなどの各種の補機なども含むものとする即ち、本発明では、ガイドフレーム９を、車体パネルに取り付けられるトランスミッションなどの各種の補機などに取り付けるようにしてもよい。
【００７４】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７５】
１  コネクタモジュール
２  ボディパネル（車体）
３  ソレノイド（電子機器）
４  コネクタ部
５  コネクタ
７  位置決め部
８  案内部
９  ガイドフレーム
１０  ガイド支持フレーム
１１  移動支持部
１５  ガイドリブ
２１  ガイド溝
２９  位置決め溝（位置ずれ規制部）
３４  貫通孔
３５  立設部
３６  ストッパ部
５０  移動凸部
５３  係合片
５６  ガイドリブ
５７  ガイド凹部
６０  被支持部
Ｋ  嵌合方向
Ｔ  回転方向
Ｎ  並ぶ方向
Ｚ  厚み方向
Ｈ１  立設部の幅
Ｈ２  貫通孔の幅
Ｈ３  貫通孔の幅
Ｈ４  ストッパ部の長さ
【図１】
2010267488.tif 000003
【図２】
2010267488.tif 000004
【図３】
2010267488.tif 000005
【図４】
2010267488.tif 000006
【図５】
2010267488.tif 000007
【図６】
2010267488.tif 000008
【図７】
2010267488.tif 000009
【図８】
2010267488.tif 000010
【図９】
2010267488.tif 000011
【図１０】
2010267488.tif 000012
【図１１】
2010267488.tif 000013
【図１２】
2010267488.tif 000014
【図１３】
2010267488.tif 000015
【図１４】
2010267488.tif 000016
【図１５】
2010267488.tif 000017
【図１６】
2010267488.tif 000018
【図１７】
2010267488.tif 000019
【図１８】
2010267488.tif 000020
【図１９】
2010267488.tif 000021
【図２０】
2010267488.tif 000022
【図２１】
2010267488.tif 000023
【図２２】
2010267488.tif 000024
【図２３】
2010267488.tif 000025
【図２４】
2010267488.tif 000026
【図２５】
2010267488.tif 000027
【図２６】
2010267488.tif 000028
【図２７】
2010267488.tif 000029
【図２８】
2010267488.tif 000030
【図２９】
2010267488.tif 000031
【図３０】
2010267488.tif 000032
【図３１】
2010267488.tif 000033
【図３２】
2010267488.tif 000034
【図３３】
2010267488.tif 000035
【図３４】
2010267488.tif 000036
【図３５】
2010267488.tif 000037
【図３６】
2010267488.tif 000038